(57)【特許請求の範囲】
【請求項１】
複数のロッカーボックスと該ロッカーボックスの施解錠を制御する制御手段を備え、利用料金を支払って前記ロッカーボックスを施錠利用状態とするとともに、鍵を使用しないで解錠用番号の照合によりロッカーボックスを解錠するようにした貸しロッカーシステムにおいて、
前記制御手段は表示部を備え、該制御手段は、前記ロッカーボックスを施錠利用状態としたときから該ロッカーボックスに対応して所定時間の自由時間に設定し、該自由時間内に該ロッカーボックスについて解錠操作を行ったときは前記利用料金の支払いを行わない状態で前記施錠利用状態に移行可能とし、前記自由時間に設定した前記ロッカーボックスについて該自由時間内に解錠操作が行われる状態で、一時解錠または終了解錠の処理を選択する選択画面を前記表示部に表示し、前記一時解錠の処理が選択されたときは該自由時間の設定状態とするとともに、前記終了解錠の処理が選択されたときは該自由時間内である設定を解除することを特徴とする貸しロッカーシステム。
【請求項２】
前記制御手段は、携帯用送信手段からの解錠用番号を受信して該携帯用送信手段に蓄積されている電子現金により前記利用料金を徴収するとともに、前記ロッカーボックスの施錠及び解錠を当該受信した解錠用番号により制御することを特徴とする請求項１記載の貸しロッカーシステム。
【請求項３】
前記携帯用送信手段がＩＣカード及び／または携帯電話機であることを特徴とする請求項２に記載の貸しロッカーシステム。
【請求項４】
前記ロッカーボックスに対応する前記解錠用番号は、前記施錠利用状態としたときに前記制御手段が発行するとともに、該制御手段は、前記自由時間内に施錠利用状態とした時に該ロッカーボックスに対応する前記解錠用番号を新規に発行することを特徴とする請求項１に記載の貸しロッカーシステム。
【発明の詳細な説明】
【技術分野】
【０００１】
本発明は、例えば駅構内等に設置され、複数の利用者にロッカーボックスを利用可能とした貸しロッカーシステムに関する。
【背景技術】
【０００２】
従来、鍵式の貸しロッカー（コインロッカー装置）として例えば特許第３５８８１４７号公報に開示されたものがある。この貸しロッカーは、施錠後にタイマーで所定時間を計時し、その所定時間内であれば解錠後もそのまま施錠を可能として、荷物の預け入れ時の荷物の入れ忘れや入れ過ぎ等に対して、利用者の利便を図るものである。
【０００３】
また、貸しロッカーシステムとしてプリペードカードを用いて利用できるものが例えば特開２００１−１５５２４９号公報に開示されている。このロッカーシステムは、ロッカー使用時にプリペードカードをカードリーダに挿入し、そのプリペードカードからロッカー利用料金を引き落としでロッカーを利用できるようにしたものである。
【０００４】
また、例えば特開２００１−３２５６６０号公報に開示されているように、携帯電話機からのＩＤ情報や入力した暗証番号等により一時預かりボックスの解錠を制御するものがある。このようなロッカー装置では鍵などを保管する必要がなく、また、鍵の紛失や盗難などによる不都合も回避できるという利点があり、広く普及している。
【特許文献１】特許第３５８８１４７号公報
【特許文献２】特開２００１−１５５２４９号公報
【特許文献３】特開２００１−３２５６６０号公報
【発明の開示】
【発明が解決しようとする課題】
【０００５】
前記のように鍵などを必要としないロッカー装置では、鍵を回して施錠するという操作を行わないので、利用者はどの時点で施錠されるかが感覚的に認識しずらく、特にこの種のロッカー装置では荷物の入れ忘れや入れ過ぎ等を起こしやすかった。なお、特許文献１の貸しロッカーでは、タイマーで所定時間を計時するが、この所定時間内に利用を終了しても、タイマーの計時が継続されることがあり、再び施錠及び解錠が可能になり、稼働効率が悪いという管理上の問題がある。
【０００６】
本発明は、鍵を使用しないで解錠用番号により解錠を行うようにした貸しロッカーシステムにおいて、荷物の入れ忘れや入れ過ぎ等があったときでも、利用者の利便性を図れるようにすることを課題とし、利用者へのサービスを向上させることを課題とする。
【課題を解決するための手段】
【０００７】
請求項１の貸しロッカーシステムは、複数のロッカーボックスと該ロッカーボックスの施解錠を制御する制御手段を備え、利用料金を支払って前記ロッカーボックスを施錠利用状態とするとともに、鍵を使用しないで解錠用番号の照合によりロッカーボックスを解錠するようにした貸しロッカーシステムにおいて、前記制御手段は表示部を備え、該制御手段は、前記ロッカーボックスを施錠利用状態としたときから該ロッカーボックスに対応して所定時間の自由時間に設定し、該自由時間内に該ロッカーボックスについて解錠操作を行ったときは前記利用料金の支払いを行わない状態で前記施錠利用状態に移行可能とし、前記自由時間に設定した前記ロッカーボックスについて該自由時間内に解錠操作が行われる状態で、一時解錠または終了解錠の処理を選択する選択画面を前記表示部に表示し、前記一時解錠の処理が選択されたときは該自由時間の設定状態とするとともに、前記終了解錠の処理が選択されたときは該自由時間内である設定を解除することを特徴とする。
【０００８】
請求項１の貸しロッカーシステムにおいて、利用者がロッカーボックスに荷物を預けて利用料金を支払って施錠利用状態としたとき、その後、自由時間内となっているときは解錠操作を行っても利用料金を支払わずにロッカーボックスを施錠して施錠利用状態にできるので、荷物の入れ忘れや入れ過ぎ等があったときでも、利用者の利便性が図れる。
【００１０】
また、自由時間内は操作画面等の表示部により一時解除または終了解錠の選択を利用者に促すことができ、終了解錠の選択時には自由時間内である設定を解除することができ、そのロッカーボックスを初期の預け入れ待機状態にすることが可能となる。なお、自由時間内の設定と解除の方法としては、以下のものでもよい。所定のタイマを用い、そのタイマを起動することで自由時間内に設定する。タイマがタイムアップしているかタイムアップしていないかにより、自由時間内であるか自由時間外であるかを判定する。また、タイマの強制リセットにより自由時間内を解除する。
【００１１】
請求項２の貸しロッカーシステムは、請求項１に記載の貸しロッカーシステムであって、前記制御手段は、携帯用送信手段からの解錠用番号を受信して該携帯用送信手段に蓄積されている電子現金により前記利用料金を徴収するとともに、前記ロッカーボックスの施錠及び解錠を当該受信した解錠用番号により制御することを特徴とする。
【００１２】
請求項２の貸しロッカーシステムによれば、請求項１の作用効果に加えて、硬貨や紙幣等の現金の投入を必要としないので、利用時の操作を簡略化できる。
【００１３】
請求項３の貸しロッカーシステムは、請求項２に記載の貸しロッカーシステムであって、前記携帯用送信手段がＩＣカード及び／または携帯電話機であることを特徴とする。
【００１４】
請求項３の貸しロッカーシステムによれば、請求項２の作用効果に加えて、携帯用送信手段としてＩＣカードを用いると、例えば駅の自動改札等でＩＤコードを発信して改札を済ませるのに用いるカード型のプリペイドカード（例えば「Ｓｕｉｃａ」（商標））を用いることができ、特に貸しロッカーシステムは駅構内等に設置することが多いので、利用者が利用し易くなる。また、携帯用送信手段として携帯電話機を用いると、近年広く普及している携帯電話機でロッカーボックスを使用できるので、利用者が利用し易くなる。
【００１５】
請求項４の貸しロッカーシステムは、請求項１に記載の貸しロッカーシステムであって、前記ロッカーボックスに対応する前記解錠用番号は、前記施錠利用状態としたときに前記制御手段が発行するとともに、該制御手段は、前記自由時間内に施錠利用状態とした時に該ロッカーボックスに対応する前記解錠用番号を新規に発行することを特徴とする。
【００１６】
請求項４の貸しロッカーシステムによれば、請求項１の作用効果に加えて、解錠用番号がレシート等により発行され、自由時間内に再度解錠すると、この解錠操作に使用した解錠用番号と異なる新たな解錠用番号が発行されるので、操作の盗み見等による盗難を防止できる。
【００１７】
なお、鍵を使用しないで解錠用番号の照合によりロッカーボックスを解錠する貸しロッカーシステムにおいて、複数のロッカーボックスに対して１つの制御手段（例えば集中制
御装置）がロッカーボックス群の例えば中央位置に配置され、この制御手段に対してＩＣカード等のＩＤコードを読み取らせてロッカーボックスの解錠や施錠を行うように操作するが、利用待機状態においてロッカーボックスが施錠されていると、制御手段の所で一旦解錠操作を行い、ロッカーボックスに向かい、荷物を預けて、再度制御手段の所で施錠操作を行う必要がある。この場合には利用者は行ったり来たりしなければならないので使い勝手悪い。そこで、利用待機状態でロッカーボックスが解錠されているような状態（解錠待機状態）にしておき、荷物を預けてロッカー扉を閉め（好適にはこの時仮施錠となるようにし）制御手段で操作して施錠する構成にするとよい。このように、請求項１〜４においてロッカーボックスは利用開始前に解錠待機状態となっている貸しロッカーシステムが好適である。
【発明の効果】
【００１８】
請求項１の貸しロッカーシステムによれば、鍵を使用しないで解錠用番号により解錠を行うようにした貸しロッカーシステムにおいて、荷物の入れ忘れや入れ過ぎ等があったときでも、利用者の利便性が図れる。
【００１９】
また、自由時間内は操作画面等の表示部により一時解除または終了解錠の選択を利用者に促すことができ、終了解錠の選択時には自由時間内である設定を解除することができ、そのロッカーボックスを初期の預け入れ待機状態にすることが可能となる。
【００２０】
請求項２の貸しロッカーシステムによれば、請求項１の効果に加えて、硬貨や紙幣等の現金の投入を必要としないので、利用時の操作を簡略化できる。
【００２１】
請求項３の貸しロッカーシステムによれば、請求項２の効果に加えて、ＩＣカードや携帯電話機等を使用できるので、利用者が利用し易くなる。
【００２２】
請求項４の貸しロッカーシステムによれば、請求項１の効果に加えて、自由時間内に再度解錠すると、この解錠操作に使用した解錠用番号と異なる新たな解錠用番号が発行されるので、操作の盗み見等による盗難を防止できる。
【発明を実施するための最良の形態】
【００２３】
次に、本発明の貸しロッカーシステムの実施形態を図面を参照して説明する。図１は実施形態の貸しロッカーシステムの外観正面図である。このシステムは「制御手段」としての集中制御装置１とその両側にそれぞれ複数のロッカーボックス２を配置したものである。集中制御装置１の内部には、レシート（利用者用のレシートと後払い方式管理票）を発行するためのプリンタ１ａ、タッチパネル付きＬＣＤ表示器１ｂ、非接触ＩＣカードＣｄからの電波を受信するカードリーダ１ｃ、携帯電話機Ｔからの赤外線を受信する赤外線モジュール１ｄ、紙幣の鑑別を行う紙幣鑑別機１ｅ、硬貨の識別を行う検銭機１ｆが配設されている。
【００２４】
集中制御装置１のパネル面には、プリンタ１ａからレシートを排出するためのレシート出口１ａ１、ＬＣＤ表示器１ｂの表示窓となる操作表示部１ｂ１、カードリーダ１ｃで電波の送受信を行うアンテナ部１ｃ１、赤外線モジュール１ｄで赤外線を受信する赤外線受信部１ｄ１、紙幣鑑別機１ｅに紙幣を投入するための紙幣投入口１ｅ１、検銭機１ｆに硬貨を投入するための硬貨投入口１ｆ１、検銭機１ｆから硬貨を返却するための硬貨返却口１ｆ２、及び硬貨返却レバー１ｇが配設されている。また、各ロッカーボックス２は、ロッカー扉２ａの内部に集中制御装置１からの制御信号に基づいてロッカー扉２ａを施解錠する錠装置２ｂ、ロッカー扉２ａの開閉状態を検出する扉開閉スイッチ２ｃ、ロッカー扉２ａに配設された状態表示用ＬＥＤ２ｄをそれぞれ備えている。
【００２５】
図２は集中制御装置１の要部ブロック図である。集中制御装置１はマイクロコンピュータで構成された制御ユニット（制御部）１００と電源１００Ａを備えており、制御ユニット１００にはプリンタ１ａ、ＬＣＤ表示器１ｂ、カードリーダ１ｃ、赤外線モジュール１ｄ、紙幣鑑別機１ｅ、検銭機１ｆ、各ロッカーボックス２の各錠装置２ｂが接続されている。また、錠装置２ｂには図示しない基板を介して、扉開閉スイッチ２ｃ、状態表示用ＬＥＤ２ｄがそれぞれ接続されている。制御ユニット１００は、プリンタ１ａへの印字データの出力、ＬＣＤ表示器１ｂへの表示データの出力と操作状態の検出を行う。
【００２６】
また、制御ユニット１００は、カードリーダ１ｃ、赤外線モジュール１ｄ、紙幣鑑別機１ｅ及び検銭機１ｆからのデータの入力や紙幣や硬貨の鑑別状態を検出する。さらに、制御ユニット１００は、錠装置２ｂを介して、扉開閉スイッチ２ｃの操作状態を検出するとともに、状態表示用ＬＥＤ２ｄの駆動制御を行う。そして、制御ユニット１００は後述の制御プログラムに基づいて貸しロッカーシステムの制御を行う。
【００２７】
この実施形態では、操作形態の異なる第１〜第３モード及び管理者モードを選択することができる。第１モードでは現金投入による施錠及び暗証番号の発行を行い、暗証番号による解錠を行う。第２モードでは非接触ＩＣカードＣｄのＩＤコードにより施錠及び解錠を行う。第３モードでは携帯電話機ＴのＩＤコードにより施錠及び解錠を行う。管理者モードは、管理者が使用する管理者ＩＣカードの管理者ＩＤにより、該管理者モードの処理に入ることができる。
【００２８】
以下、主に第１モード及び第２モードの処理について説明する。なお、ロッカーボックス２が空き状態（非使用状態）のときは、錠装置２ｂは解錠状態で状態表示用ＬＥＤ２ｄが緑色に点灯されている。また、操作表示部１ｂ１の初期画面には、「預け入れ」、「取り出し」等の表示が行われている。利用者は、空き状態のロッカーボックス２に荷物を収納してロッカー扉２ａを閉めると扉開閉スイッチ２ｃでロッカー扉２ａの閉状態が検出され、錠装置２ｂは仮施錠されて状態表示用ＬＥＤ２ｄが赤色で点滅する。次に、操作表示部１ｂ１のタッチパネルを操作して、「預け入れ」または「取り出し」の所望の処理を選択する。この場合は「預け入れ」を選択すると、操作表示部１ｂ１には利用料金（金額）が表示されるとともに、「暗証番号」、「ＩＣカード」、「携帯電話」の表示によりモードを選択するように案内が表示されるので、操作表示部１ｂ１のタッチパネルを操作してモードを選択する。
【００２９】
第１モード（暗証番号）では、利用者が「預け入れ」及び「暗証番号」を選択すると、、操作表示部１ｂ１に利用料金を投入するように案内する表示が行われる。硬貨投入口１ｆ１から硬貨（例えば１００円硬貨）を投入するか、紙幣投入口１ｅ１から紙幣を投入すると錠装置２ｂが施錠（本施錠）され、状態表示用ＬＥＤ２ｄが赤色の点灯に変わり、レシートと領収書が発行される。このレシートには、解錠用の例えば６桁の暗証番号、ロッカー番号、ロッカー装置が配置されている場所（ロケーション情報）、利用日時等の各種のロッカー情報が印字されている。
【００３０】
解錠操作をするときは、操作表示部１ｂ１の初期画面で「取り出し」を選択するとともに、次の画面で「暗証番号」（第１モード）を選択する。そして、操作表示部１ｂ１からレシートに印字されている暗証番号を入力し、暗証番号が認証されると、利用開始から所定の自由時間（所定時間）内であれば、一時解錠か終了解錠かを選択する画面が表示される。この「一時解錠」とは、荷物の入れ忘れや入れ過ぎ等により一時的にロッカー扉を解錠したい場合の処理であり、「終了解錠」とは利用を終了する場合の処理である。「一時解錠」を選択すると新たな暗証番号を印紙したレシートが発行されるとともに、錠装置２ｂが解錠されて、状態表示用ＬＥＤ２ｄが赤の点滅となる。そして、入れ忘れた荷物を入れたり入れ過ぎた荷物を取り出し、ロッカー扉２ａを押すと本施錠される。
【００３１】
一方、暗証番号が認証されたとき自由時間内でない場合は、一時解錠か終了解錠かを選択する画面は表示されず、通常の解錠処理が行われる。この通常の解錠処理では、時間超過による超過料金が発生している場合は、操作表示部１ｂ１に追加の料金投入を案内する表示が行われ、追加の料金を硬貨投入口１ｆ１あるいは紙幣投入口１ｅ１から投入すると、プリンタ１ａによりレシート及び領収書が発行されるとともに、錠装置２ｂが解錠され、状態表示用ＬＥＤ２ｄが赤の点滅となる。また、自由時間内でも「終了解錠」を選択した場合は、自由時間内であることの設定が解除されるとともに、上記同様な通常の解錠処理が行われる。
【００３２】
第２モード（ＩＣカード）では、「預け入れ」及び「ＩＣカード」を選択すると、操作表示部１ｂ１にＩＣカードＣａを集中制御装置１のアンテナ部１ｃ１にかざすように促す表示が行われる。そこで、利用者が非接触ＩＣカードＣａを集中制御装置１のアンテナ部１ｃ１にかざすと、その非接触ＩＣカードＣａのＩＤコードとチャージデータが集中制御装置１側で読み取られる。そして、チャージデータの金額が利用料金以上であれば、そのチャージデータから利用料金を引き落としてチャージデータが書き換えられ、レシートが発行されるとともに錠装置２ｂが本施錠される。状態表示ＬＥＤ２ｄは前記同様に赤色の点灯に変わり、使用状態を表示する。なお、チャージデータの金額が料金不足の場合は、仮施錠が解錠される。
【００３３】
また、解錠操作をするときは、操作表示部１ｂ１で「ＩＣカード」を選択し、非接触ＩＣカードＣａのＩＤコード、チャージデータを読み取らせる。ＩＤコードが認証されると、前記第１モードと同様に、自由時間内の「一時解錠」または「終了解錠」、あるいは、自由時間内でない場合の超過料金等の処理が行われる。
【００３４】
なお、第３モード（携帯電話）の場合は、「預け入れ」及び「携帯電話」の選択で預け入れ処理を行い、「取り出し」及び「携帯電話」の選択で取り出し処理を行うが、これらの処理は、第２モードにおけるＩＤコードの認証とチャージデータからの料金の引き落としに代えて、電話番号等のＩＤの認証処理と課金処置を行う処理であり、詳細な説明は省略するが細部の処理は第２モードと同様である。
【００３５】
各モードにおいて、施錠／解錠の対象とするロッカーボックス２は、暗証番号（第１モード）、非接触ＩＣカードＣａのＩＤコード（第２モード）、携帯電話機Ｔの電話番号（第３モード）などの「解錠用番号」にそれぞれ対応付けられており、解錠操作のとき、集中制御装置１において、これらの解錠用番号を確認し、認証されれたその解錠用番号に対応する対象ロッカーボックス２を特定し、解錠を行っている。
【００３６】
また、初期画面の状態で管理者ＩＣカードをアンテナ部１ｃ１にかざすと、その管理者ＩＤが集中制御装置１側で読み取られ、認証されると管理者モードとなる。そして、この管理者モードでは、自由時間（所定時間）の時間間隔の任意の設定を行うことができる。また、その他、売上げ集計、ボックス内容点検、強制解錠、強制施錠、別途保管、新規受付禁止設定等の各種の処理を行うことができる。
【００３７】
図３は集中制御装置１の制御ユニット１００における制御プログラムのメイン処理の要部フローチャート、図４は預け入れ処理の要部フローチャート、図５は取り出し処理の要部フローチャートであり、同フローチャートを参照しながら動作を説明する。なお、メイン処理は、各ロッカーボックス２の全ての錠装置２ｂをサイクリックに走査して、各ロッカーボックス２毎の処理を行う。また、制御ユニット１００は、各ロッカーボックス２（錠装置２ｂ）毎に、各種の状態を記憶するためのレジスタやフラグ等を用いている。例えば、各ロッカーボックス２について、そのロッカーボックス２の利用開示時間（日時、時刻）を記録するレジスタや、そのロッカーボックス２が自由時間内でるか否かを示すフラグを用いている。そして、各ロッカーボックス２について利用開始時間を記憶しておき、制御ユニット１００の内部のカレンダー付き時計による現在時刻と利用開始時間とを比較して、利用開始からの経過時間を判定する。そして、その経過時間が所定の自由時間（時間間隔）以内であるか否かを判定する。そして利用開始時に自由時間内と設定する場合に所定のフラグをセットし、自由時間が経過したらフラグをリセットする。また、後述の「終了解錠」の場合にはこのフラグを強制的にリセットする。
【００３８】
図３のメイン処理では、ステップＳ１で操作表示部１ｂ１に「預け入れ」か「取り出し」を選択する初期画面を表示し、ステップＳ２で扉スイッチ２ｃのＯＮイベントの有無を判定する。このＯＮイベントとはスイッチのＯＮ状態であるか否かではなく、ＯＮとなったことが発生しているか否かという意味である。ＯＮイベントが無ければステップＳ５に進み、ＯＮイベントが有ればステップＳ３で、そのＯＮイベントが有ったロッカーボックス２が自由時間内であるか否かを判定する。そして、自由時間内でなければステップＳ４で対応する錠装置２ｂを仮施錠してステップＳ５に進み、自由時間内であればステップＳ９で錠装置２ｂを本施錠してステップＳ２に戻る。このステップＳ９の本施錠は、後述の「一時解錠」の処理後の施錠操作に対応している。
【００３９】
ステップＳ５では、操作表示部１ｂ１の画面操作が有るかを判定し、画面操作が有ればステップＳ６に進み、画面操作が無ければステップＳ２に戻る。なお、画面操作が無ければステップＳ２→Ｓ５→Ｓ２を繰り返すが所定時間内に操作が無ければ仮施錠を解錠する。ステップＳ６では、「預け入れ」か「取り出し」の何れが選択されたかを判定し、「預け入れ」が選択されればステップＳ７で図４の預け入れ処理を行い、「取り出し」が選択されればステップＳ８で図５の取り出し処理を行う。
【００４０】
図４の預け入れ処理では、ステップＳ１１で仮施錠状態のロッカーボックスが有るかを判定し、無ければ元のルーチンに復帰し、仮施錠状態のロッカーボックスが有れば、ステップＳ１２で、操作表示部１ｂ１に「暗証番号」、「ＩＣカード」、「携帯電話」の表示によるモード選択画面を表示し、ステップＳ１３で操作表示部１ｂ１での画面操作を監視する。なお、所定時間内に操作が無ければ仮施錠を解錠して元のルーチンに復帰する。
【００４１】
画面操作が有ると（モードが選択されると）、ステップＳ１４で第１〜第３モードのいずれのモードが選択されたかを判定する。第１モードが選択されればステップＳ１５，Ｓ１６，Ｓ１７に進んで暗証番号の処理（第１モードの処理）を行い、第２モードが選択されればステップＳ１８〜Ｓ２３でＩＣカード処理を行い、第３モードが選択されればステップＳ２６で携帯電話の処理（第３モードの処理）を行う。
【００４２】
第１モードのとき、すなわちステップＳ１５では、利用料金を表示するとともに料金を投入するように案内する表示を行う。次に、ステップ１６で料金が投入されるのを監視し、所定時間内に料金が投入されると、ステップＳ１７で暗証番号を生成するとともに、この暗証番号や、ロッカー番号、ロケーション情報等を印字したレシートを発行する。そして、ステップＳ２４で錠装置２ｂを本施錠し、ステップＳ２５で対応するロッカーボックスを自由時間内として設定し、メインルーチンに復帰する。なお、ステップＳ１６で料金が投入されずに所定時間経過すると仮施錠を解錠してメインルーチンに復帰する。
【００４３】
第２モードのとき、すなわちＩＣカード処理では、ステップＳ１８で利用料金を表示し、ステップＳ１９でＩＣカードＣａからデータの読み取りを行い、ＩＣカードＣａのＩＤコード、チャージデータの情報を読み取り、ＩＤコードの確認とチャージデータの確認を行う。次に、ステップＳ２０でチャージデータの金額（チャージ金額）が利用料金以上であるか否かを判定する。チャージ金額が利用料金以上（同額も含む）であれば、ステップＳ２１で利用料金をチャージデータから引き落とすとともに、ロッカー番号、ロケーション情報等を印字したレシートを発行し、ステップＳ２４に進む。そして、ステップＳ２４で錠装置２ｂを本施錠し、ステップＳ２５で対応するロッカーボックスを自由時間内として設定し、メインルーチンに復帰する。なお、ステップＳ２０でチャージ金額が利用料金以上でなければ、ステップＳ２２で不足金額の表示を行い、ステップＳ２３で仮施錠を解錠してメインルーチンに復帰する。
【００４４】
なお、この預け入れ処理により本施錠したとき、暗証番号やＩＤコードと、該預け入れ処理を行ったロッカーボックスのロッカー番号とは、予め設定されているメモリに記憶されることはいうまでもない。また、後述のように一時解錠により新たな暗証番号を発行した場合はこの対応関係は更新される。
【００４５】
図５の取り出し処理では、ステップＳ３１で、操作表示部１ｂ１に「暗証番号」、「ＩＣカード」、「携帯電話」の表示によるモード選択画面を表示し、ステップＳ３２で操作表示部１ｂ１での画面操作を監視する。なお、所定時間内に操作が無ければ仮施錠を解錠して元のルーチンに復帰する。
【００４６】
画面操作が有ると（モードが選択されると）、ステップＳ３３で第１〜第３モードのいずれのモードが選択されたかを判定する。第１モードが選択されれば、ステップＳ３４で、暗証番号の入力処理を行うとともに暗証番号の認証処理を行い、ステップＳ３７に進む。なお、暗証番号が入力されずに所定時間経過した場合にはメインルーチンに復帰する。
第２モードが選択されれば、ステップＳ３５でＩＣカードＣａからデータの読み取りを行い、ＩＤコードの確認を行ってステップＳ３７に進む。第３モードが選択されればステップＳ３６で携帯電話の処理（第３モードの処理）を行う。
【００４７】
ステップＳ３７では、入力された暗証番号あるいは読み取られたＩＤコードが認証されたか判定し、認証されればステップＳ３８に進み、認証されなければそのままメインルーチンに復帰する。ステップＳ３８では、暗証番号あるいはＩＤコードに対応する取り出し対象のロッカーボックスが自由時間内であるか否かを判定する。なお、この取り出し対象のロッカーボックスは、預け入れ時に、現在認証された暗証番号あるいはＩＤコードに対応付けて記憶されている。自由時間内でなければステップＳ４５に進み、自由時間内であればステップＳ３９で、操作表示部１ｂ１に「一時解錠」か「終了解錠」かを選択する表示を行い、ステップＳ４０で操作表示部１ｂ１での画面操作を監視する。なお、所定時間内に操作が無ければ元のルーチンに復帰する。
【００４８】
画面操作が有ると、ステップＳ４１で「一時解錠」か「終了解錠」の何れが選択されたかを判定し、「一時解錠」が選択されればステップＳ４２に進み、「終了解錠」が選択されればステップＳ４４に進む。ステップＳ４２では、第１モードであるか否かを判定し、第１モードでなければステップＳ４７で錠装置２ｂを解錠して元のルーチンに復帰する。第１モードであれば、ステップＳ４３で新たな暗証番号を生成するとともに、この新たな暗証番号、ロッカー番号、ロケーション情報等を印字したレシートを発行する。そして、ステップＳ４７で錠装置２ｂを解錠して元のルーチンに復帰する。
【００４９】
ステップＳ４１で「終了解錠」が選択された場合には、ステップＳ４４で当該ロッカーボックスを自由時間内から解除し、ステップＳ４５に進む。ステップＳ４５では超過料金が発生しているかを判定し、超過料金が無ければステップＳ４７で錠装置２ｂを解錠して元のルーチンに復帰し、超過料金が発生していれば、ステップＳ４８で料金投入による超過料金の回収等の処理を行い、ステップＳ４７で錠装置２ｂを解錠して元のルーチンに復帰する。
【００５０】
以上の自由時間は各ロッカーボックス２について一律に数分間（例えば５〜１０分）の一定時間であり、利用者は、利用料金を支払って利用開始した時点（ステップＳ２５の時点）から自由時間内では、暗証番号、ＩＣカードあるいは携帯電話機によりロッカーボックスを解錠して、自由に荷物の出し入れをすることができ、さらに料金を支払わずにロッカー扉２ａを押すだけで本施錠をすることがでいる。また、自由時間内に利用を終了するときは、「終了解錠」を選択することで自由時間が解除され、そのロッカーボックスは利用待機状態（解錠待機状態）になる。
【００５１】
また、第１モードの暗証番号で利用する場合、自由時間内に解錠する毎に新たな暗証番号がレシートで発行されるので、操作の盗み見等による盗難を防止できる。
【００５２】
ところで、上記の自由時間は、管理者による管理者モードで各ロッカーボックス毎に任意に設定することができる。そこで、この自由時間を例えば数時間あるいは１日間のように長時間に設定することにより、利用者が特定のロッカーボックスを長時間に亘って自由に利用することが可能になる。このような場合には、最初の利用料金を自由利用に対応するように通常より高い料金に設定してもよい。
【００５３】
以上の実施例では、自由時間内であるか否かをレジスタの利用開示時間と現在時刻で判定し、あるいは自由時間内の設定状態であるか否かをフラグで判定しているようにしているが、前述のように所定のタイマーを用い、タイマーのスタート、タイムアップあるいはタイマーの強制リセットにより同様の制御をするようにしてもよい。
【図面の簡単な説明】
【００５４】
【図１】本発明の実施形態の貸しロッカーシステムの外観正面図である。
【図２】実施形態における集中制御装置の要部ブロック図である。
【図３】実施形態におけるメイン処理のフローチャートである。
【図４】実施形態における預け入れ処理のフローチャートである。
【図５】実施形態における取り出し処理のフローチャートである。
【符号の説明】
【００５５】
１      集中制御装置
２      ロッカーボックス
１００  制御ユニット
１ａ    プリンタ
１ｂ１  操作表示部
２ｂ    錠装置
【図１】
0004616139.tif 000002
【図２】
0004616139.tif 000003
【図３】
0004616139.tif 000004
【図４】
0004616139.tif 000005
【図５】
0004616139.tif 000006